(57)【特許請求の範囲】
【請求項１】
カラー素材とモノクロ素材とを組み合わせて紙面の組版を行う電子組版装置であって、
前記カラー素材と前記モノクロ素材の内容である素材内容情報を保持する素材内容記憶手段と、
前記カラー素材と前記モノクロ素材との割付位置情報を保持する割付位置記憶手段と、
モノクロ素材の変更指示を受けて、前記割付位置記憶手段からカラー素材の割付位置情報を抽出して、固定カラー割付位置情報として記憶するカラー位置情報抽出／記憶手段と、
前記変更指示されたモノクロ素材について、少なくとも前記素材内容記憶手段に保持されている前記素材内容情報または前記割付位置記憶手段に保持されている前記割付位置情報を更新する変更処理手段と、
前記素材内容記憶手段で記憶しているモノクロ素材とカラー素材との素材内容情報と、
前記割付位置記憶手段で記憶しているモノクロ素材の割付位置情報と、前記固定カラー割付位置情報とによって親版フィルムを作成する親版フィルム作成手段と
を有することを特徴とする電子組版装置。
【請求項２】
カラー素材とモノクロ素材とを組み合わせて紙面の組版を行う電子組版装置の電子組版プログラムを記録したコンピュータ読み取り可能な記録媒体であって、
コンピュータを
前記カラー素材と前記モノクロ素材の内容である素材内容情報を保持する素材内容記憶手段と、
前記カラー素材と前記モノクロ素材との割付位置情報を保持する割付位置記憶手段と、
モノクロ素材の変更指示を受けて、前記割付位置記憶手段からカラー素材の割付位置情報を抽出して、固定カラー割付位置情報として記憶するカラー位置情報抽出／記憶手段と、
前記変更指示されたモノクロ素材について、少なくとも前記素材内容記憶手段に保持されている前記素材内容情報または前記割付位置記憶手段に保持されている前記割付位置情報を更新する変更処理手段と、
前記素材内容記憶手段で記憶しているモノクロ素材とカラー素材との素材内容情報と、前記割付位置記憶手段で記憶しているモノクロ素材の割付位置情報と、前記固定カラー割付位置情報とによって親版フィルムを作成する親版フィルム作成手段と
として機能させるための電子組版プログラムを記録したコンピュータ読み取り可能な記録媒体。
【発明の詳細な説明】
【０００１】
【発明の属する技術分野】
本発明は、新聞などの組版を作成する電子組版装置に関する。
【０００２】
【従来の技術】
近年の新聞紙面はカラー写真などが用いられ、読者にインパクトのある紙面が提供されている。これら印刷物を対象とした組版は、コンピュータを用いたＣＴＳ（Ｃｏｍｐｕｔｅｒｉｚｅｄ  Ｔｙｐｅｓｅｔｔｉｎｇ  Ｓｙｓｔｅｍ）と呼ばれる電子組版装置が用いられ、特に時間が勝負の新聞社では本装置の使用は一般的になってきている。
【０００３】
電子組版装置は電子的に作成された文書や図形などの素材を組み合わせて配置を行い、紙面の組版を行う装置である。一般的な電子組版装置の構成は図２に示すようになっている。図２のＣＰＵ１１はこの装置の全体を司るものであり、主として編集処理や割付処理、分色処理などを行うものである。補助記憶１２は文書や図形の素材の内容であるテキストやイメージの情報や、それらの素材が紙面上に割付られた割付位置情報などを格納しておく記憶装置で、例えばハードディスクなどである。キーボード１３は、新聞記事などのテキストデータの入力や電子組版装置に対して使用者が指示を行うための入力装置であり、マウス１４は割付作業などにおいて新聞記事の配置位置をディスプレイ画面上で指定する入力装置である。スキャナ１５は写真などをイメージデータとして取り込む入力装置である。ディスプレイ１６はテキストデータを編集したり、割付などの作業を行う時に素材情報を画面上に表示する表示装置であり、プリンタ１７は組版結果などをプリントアウトする出力装置である。
【０００４】
従来の一般的な電子組版装置の処理を、新聞紙面を作成する場合について図３を用いて説明する。まず新規作成では、記事であるテキストデータや写真などのイメージデータをキーボード１３やスキャナ１５を用いて入力し、これらを素材内容ＤＢ２１に記憶しておく。（Ｓ１、Ｓ２）
次に、これら素材内容の情報をディスプレイ画面上に呼出し、画面上に新聞紙面の大きさと段数を表示しながら配置して行く。配置の際に素材が必要とする面積は、例えば記事のような文字情報であれば、文字数と文字の大きさ、文字間隔、行間隔から計算できるので、素材内容の情報が入力された段階で予めコンピュータで計算してある。具体的には、使用者がマウス１４などを使いながら、画面の紙面枠の中に素材を最適と考えた位置に配置する。この作業が割付作業であり、割付られた素材の位置はコンピュータにより随時割付位置情報として割付位置ＤＢ２２に記憶される。ここで、それぞれの素材は図４に示す階層構造を持っており、割付作業における素材を扱う単位は独立したカラー素材とモノクロ素材とブロックである。このブロックは、新聞社では素材の作成を分担して行っており、写真と記事とがセットとなるものはブロックとしている。ブロックとして扱うことにより間違った写真と記事とを組み合わせてしまうことを防止している。割付作業においては、このブロックは独立したカラー素材やモノクロ素材と同様に一つの素材として扱われ割付位置情報を持っている。（Ｓ３）
全ての素材の割付が終了した段階で校正が行われ、問題がなければ校了情報の設定を行う。校了情報を設定した後では、素材の変更ができない。校了情報の設定は二つの目的を持っており、一つは、以降のステップで印刷用の版下フィルムの出力を行うが、校了前の情報で版下フィルムを作成してしまうことを防止することである。他の目的は、カラー印刷の場合、ＣＭＹＫ（それぞれシアン、マゼンダ、イエロー、ブラック）の４色の分色版フィルムを版下として出力するが、各色の位置ずれを防ぐために校了となった後は、不用意にカラー素材に対して素材内容や割付位置を変えられないようにするためものである。例えば、４色の版下フィルムを作成した後にＣ色の版下フィルムの作り直しが生じた時、その間に何らかの誤った操作によりカラー素材の位置が変わってしまうことを防止する役割を持っている。（Ｓ４）
続いて、装置は校了済であることを校了情報で確認し、素材内容ＤＢ２１と割付位置ＤＢ２２の情報を用いてＣＭＹの３色について色分解の処理を行った後、分色版フィルムの作成を行う。さらに、モノクロ素材とカラー素材のＫ色の色分解を行い、親版フィルムを作成する。（Ｓ５、Ｓ６）
次に、素材の内容および割付位置を変更する場合について説明する。図３で変更作業であることを指示すると、装置は校了情報の解除を行う。（Ｓ１、Ｓ７）校了情報が解除されたことにより、装置は画面上の素材に対して変更を許すことになる。ここで素材の内容を変更し、続いて割付位置の変更を行う。変更した内容および割付位置の情報により、随時素材内容ＤＢ２１および割付位置ＤＢ２２は更新される。変更作業が終了し、変更した内容と割付に問題のないことを確認して校了情報の設定を行う。（Ｓ８〜Ｓ１０）
続いて、変更した素材がカラー／モノクロの両素材である場合は、分色版フィルムと親版フィルムの作成を行う。モノクロ素材のみの変更の場合は、分色版フィルムは変更前のものを使用できるのでこのフィルムの作成は行わず、親版フィルムの作成のみを行う。（Ｓ１１、Ｓ５、Ｓ６）
上記の変更でモノクロ素材のみを変更する場合の例を以下に説明する。新聞社では、時間の推移とともに記事を最新の内容に変更し、配送時間を考慮して地域毎に最新版を読者に届けるようにしている。即ち、最も配送時間を要する地域には初版の紙面を配達するが、最も配送時間が少ない地域には最新の版数の紙面を届けるようにしている。このような時の記事の変更は、通常カラー写真などの素材はそのままにしておいて、記事のみ差し替えることが多く行われている。これはＣＭＹの３色の分色版フィルムは既に作成済のものをそのまま使用し、記事の変更により生じたＫ色である親版フィルムだけを作成して、印刷に要する時間を最短にするために行われるものである。このような場合の記事のみを変更する例を図４に示す。図５（ａ）は変更前の紙面の割付画面である。ディスプレイ画面３１上に紙面枠３２を表示し、さらに素材としてモノクロ素材である題字文字の３３と記事の３４、カラー素材であるカラー写真３５、ブロックの３６を表示している。ブロック３６はモノクロ素材である記事の３７とカラー素材であるカラー写真の３８から成っている。この素材の内、記事の３４と３７を変更するものとする。図５（ｂ）は、素材内容の変更を行った後に割付位置の変更を行ったものである。即ち、変更前の記事３４は３９に、３７は４１のように内容および割付位置が変更されている。変更した記事３７は最初にブロック内で内容を変更し、割付作業ではブロックとして変更している。カラー写真の位置はそのままの位置にある。カラー写真の印刷に必要な分色版フィルムには何ら変更はないので記事変更前のフィルムをそのまま使用でき、親版フィルムのみを作成する。
【０００５】
【発明が解決しようとする課題】
上記で述べたように、新聞紙面の作成においてはカラー写真のようなカラー素材をそのままにしておいて、記事であるモノクロ素材のみの変更を行うことが頻繁に行われる。その際、印刷作業においては既に作成された分色版フィルムを使用し、変更のあった親版フィルムだけを出力するので、親版フィルムは作成済の分色版フィルムと位置ずれを生じてはならない、という制約がある。
【０００６】
しかし、記事の変更作業、特に割付位置の変更では、使用者は図４に示す画面上でマウスなどを使用してモノクロ素材の位置を指定するが、その際に隣接するカラー素材に触れてしまうことが、少なからず起こってしまう。すると、カラー素材の位置が変わり、新たに出力した親版フィルムは既存の分色版フィルムとの間に位置ずれが生じ、分色版フィルムは使用出来なくなってしまう、と言う問題があった。
【０００７】
この場合に、カラー素材を動かさないようにカラー素材のみを固定する方法が考えられるが、ブロックの扱いに問題が生ずる。特に新聞紙面の作成においては、このブロック構造で扱うことが前提となっており、ブロックがカラー素材とモノクロ素材から成っているとき、そのブロックをカラー素材の一つとして扱うか、モノクロ素材の一つとして扱うかにある。カラー素材として扱うとモノクロ素材の変更ができなくなり、逆にモノクロ素材として扱うとカラー素材の位置ずれが起きてしまう、という問題がでてくる。
【０００８】
【課題を解決するための手段】
上記の問題を解決するため、本発明はモノクロ素材の変更があった場合に、変更前のカラー素材の位置情報を用いて親版フィルムの作成を行うように考案したものであり、これによりカラー素材の分色版フィルムと親版フィルムの間の位置ずれを保証する電子組版装置を提供することを目的にしている。
【０００９】
図１を用いて、本発明の原理について説明する。まず始めに、素材内容記憶手段１と割付位置記憶手段２とについて説明する。
【００１０】
素材内容記憶手段１に記憶されている素材内容情報は、テキストデータの場合は素材ＩＤと共に文字コードやフォント、文字サイズなどの情報から成っており、イメージデータの場合は素材ＩＤと共にビットマップやＴＩＦＦなどの形式による情報から成っている個々の素材に対する情報の集合である。素材ＩＤは素材を特定する記号であり、例えば個別の番号にカラー／モノクロの種別記号、テキスト／イメージの種別記号などを付加して、素材ＩＤからその素材の性質が分かるようにしておいてもよい。あるいは、単に個別の番号でもよく、この場合は素材ＩＤに対応したカラー／モノクロの種別とテキスト／イメージの種別が分かるテーブルを持たせておいてもよい。いづれにしても、素材ＩＤからカラー素材かモノクロ素材かが識別できるようになっていればよい。
【００１１】
割付位置記憶手段２の割付位置情報は、素材の紙面上の位置を示すもので、素材ＩＤ、紙面上の配置座標（Ｘ、Ｙ）および大きさ（Ｗ、Ｈ）の情報を持つ個々の素材に対する情報の集合である。
【００１２】
本発明は、モノクロ素材の変更による再組版を行う場合の発明である。まず変更作業に入る前の段階で、割付位置記憶手段２の中からカラー素材の割付位置情報を抽出する。割付位置記憶手段２にはモノクロ素材とカラー素材の割付位置情報が混在して記憶されているが、素材ＩＤからその素材を識別してカラー素材のみを取り出すことができる。もし素材内容と割付位置の入力において、予めカラー素材とモノクロ素材を区別して情報が記憶されていれば、単にカラー素材の割付位置情報をそのまま取り出すだけでよい。これらの情報を固定カラー割付位置情報としてカラー位置情報抽出／記憶手段４に記憶しておく。
【００１３】
この後、モノクロ素材の内容および割付の変更が行われ、素材内容記憶手段１と割付位置記憶手段２の情報は変更した値に更新される。モノクロ素材の変更作業が終了した後、親版フィルム作成手段５で、素材内容記憶手段１で記憶しているモノクロ素材とカラー素材の素材内容情報と、割付位置記憶手段２で記憶しているモノクロ素材の割付位置情報と、カラー位置情報抽出／記憶手段４で記憶している固定カラー割付位置情報とによってＫ色の色分解を行い親版フィルムを作成する。
【００１４】
本発明ではＣＭＹの分色版フィルムはモノクロ素材の変更前のものを使用するので、ここでは親版フィルムのみを出力している。変更作業中にカラー素材に触れて割付位置を変えてしまうことがあっても、カラー素材の割付位置情報が変更作業前の情報によって親版フィルムを作成するので、既存の分色版フィルムと位置ずれを起こすことは生じない。
【００１５】
【発明の実施の形態】
本発明の電子組版装置の実施例を説明する。
【００１６】
本発明のハードの構成は、従来技術で説明した図２と同様である。
【００１７】
次に、図６により本発明の処理の流れを説明する。まず新規作成の指示の後、新聞紙面の素材であるテキストデータの記事はキーボード１３から、イメージデータの写真などはスキャナ１５から取込み、素材内容情報ＤＢ２１に格納して置く。（Ｓ２１、Ｓ２２）
次に、これらの素材情報を新聞紙面の大きさや段数を考慮しながらディスプレイ１６の画面上で配置位置を決める割付を行い、割り付けた素材の位置情報は割付位置ＤＢ２２に格納される。（Ｓ２３）
全ての割付が終わり新聞紙面として問題がなければ校了となり、校了情報の設定を行い、続いて割付位置ＤＢ２２の中からカラー素材の位置情報のみを抽出する処理を行う。割付位置ＤＢ２２にはカラー素材とモノクロ素材の割付位置情報が混在しているが、個々の割付位置情報の素材ＩＤに含まれるカラーかモノクロかの記号でカラー素材を識別ができる。抽出した情報は固定カラー割付位置ＤＢ２３に記憶させて置く。図７はこのように抽出した固定カラー割付位置ＤＢ２３のデータ構造例を示すものであり、カラー素材の数と個別の割付位置情報から構成される。個別の位置情報は、素材ＩＤ、素材の置かれている位置（Ｘ、Ｙ）、大きさ（Ｗ、Ｈ）から成っている。（Ｓ２４〜Ｓ２６）
次に、カラー素材のイメージデータに対してＣＭＹの３色の色成分に分ける分色処理を行い、このデータをもとに分色版フィルムの出力を行う。（Ｓ２７）
続いて、モノクロ素材であるテキストとカラーイメージデータのＫ色成分を抽出し、親版フィルムの作成を行う。この作成の際に用いられる情報は、カラー、モノクロの両素材とも素材内容情報は素材内容ＤＢ２１のデータであり、割付位置情報は、モノクロ素材では割付位置ＤＢ２２データを、カラー素材では固定カラー割付位置ＤＢ２３のデータである。（Ｓ２８）
次に、モノクロ素材の変更のみを行う場合について説明する。モノクロ素材の変更は、新聞紙面のカラー写真等はそのまま使用し、記事のみ変更する場合に相当するもので、分色版フィルムは変更前のものを使用し、親版フィルムのみを新規に作成することを行う。まず、変更作業に入ることを指示すると、装置は校了情報を解除し、次に変更素材がモノクロ素材の変更であることを装置に指示する。（Ｓ２１、Ｓ２９、Ｓ３０）
次に、モノクロ素材について内容と割付の変更を行う。これらの変更した情報は、素材内容ＤＢ２１と割付位置ＤＢ２２の情報を更新する。モノクロ素材の変更が終了し、特に問題がなければ校了情報の設定を行う。（Ｓ３１〜Ｓ３３）
以降は、新規作成で説明したＳ２８でＫ色の分色処理後に親版フィルムの出力を行うことになるが、親版フィルムの出力の際に用いる固定カラー割付位置ＤＢ２３は、変更作業前のカラー素材の割付位置情報であるため、分色版フィルムとの位置ずれを起こすことはない。
【００１８】
以上で本発明に関わる処理について説明したが、本発明はカラーとモノクロの両素材を変更する場合にも対応できる。この場合は、変更作業の指示により校了解除を行い、変更素材を「カラー／モノクロ」を選択すると、装置は固定カラー割付位置ＤＢ２３の内容を消去し、ついでカラー素材とモノクロ素材の内容と割付位置の変更を行う。（Ｓ２９、Ｓ３０、Ｓ３４〜Ｓ３６）
以降の流れは、新規作成の流れで説明したＳ２４〜Ｓ２８と同様である。
【００１９】
【発明の効果】
以上説明したように、本発明によればモノクロ素材の変更中にカラー写真などのカラー素材に触れるようなことがあっても、親版フィルムは変更前に出力した分色版フィルムと位置ずれを起こすようなことはなくなる。
【図面の簡単な説明】
【図１】本発明の原理図である。
【図２】電子組版装置のハード構成例である。
【図３】従来の電子組版装置の処理フロー例である。
【図４】素材の階層構造である。
【図５】モノクロ素材の変更例である。
【図６】本発明の処理フロー実施例である。
【図７】固定カラー割付位置情報のデータ構造例である。
【符号の説明】
１：素材内容記憶手段
２：割付位置記憶手段
３：変更処理手段
４：カラー位置情報抽出／記憶手段
５：親版フィルム作成手段
１１：ＣＰＵ
１２：補助記憶
１３：キーボード
１４：マウス
１５：スキャナ
１６：ディスプレイ
１７：プリンタ
２１：素材内容ＤＢ
２２：割付位置ＤＢ
２３：固定カラー割付位置ＤＢ
３１：ディスプレイ画面
３２：紙面枠
３３：モノクロ素材（題字文字）
３４：モノクロ素材（記事）
３５：カラー素材
３６：ブロック
３７：モノクロ素材（記事）
３８：カラー素材
３９：変更後のモノクロ素材
４０：変更後のブロック
４１：変更後のモノクロ素材
【図１】
0004228528.tif 000002
【図２】
0004228528.tif 000003
【図３】
0004228528.tif 000004
【図４】
0004228528.tif 000005
【図５】
0004228528.tif 000006
【図６】
0004228528.tif 000007
【図７】
0004228528.tif 000008